(57)【特許請求の範囲】
【請求項１】
屋根板の下端側先端と前記屋根板の支持枠に設けた立ち上り部片の上端を接続して該接続部にシール材を施した屋根先端部を套装枠で套装するものであって、套装枠は屋根板の先端部を套装する傾斜部片の下端側先端に前記立ち上り部片の上端部を套装する垂直部片を連設して構成し、該套装枠の前記垂直部片の背面に突設した接続部片を前記立ち上り部片に一片をねじ止めしたＬ形の取付片の他の一片上に重合してねじ止めし、前記傾斜部片と屋根板との間における、前記接続部の前記屋根板の後端側の後方には、弾性バックアップ材を配して一次シール材を充填した、出窓屋根や庇等の、屋根板を用いた小屋根における屋根先端部の防水装置。
【請求項２】
屋根板の下端側先端を支持する、支持枠に設けた立ち上り部片の上端に、上面開口の係合溝を設け、該係合溝に係合した屋根板の前記先端の折曲げ片の前面と前記係合溝の内面との間に二次シール材を充填すると共に、前記立ち上り部片に一片をねじ止めしたＬ形の取付片の他の一片上に、前記屋根板の先端部を套装する傾斜部片の下端側先端に前記立ち上り部片の上端部を套装する垂直部片を連設して構成した套装枠の前記垂直部片の背面に突設した接続部片を重合してねじ止めし、前記傾斜部片と屋根板との間における、前記係合溝より前記屋根板の後端側の後方には、弾性バックアップ材を配して一次シール材を充填した、出窓屋根や庇等の、屋根板を用いた小屋根における屋根先端部の防水装置。
【発明の詳細な説明】
【０００１】
【産業上の利用分野】
本発明は、出窓屋根や庇等の、屋根板を用いた小屋根における屋根先端部の防水装置に関するものである。
【０００２】
【従来の技術】
屋根板の下端側先端を支持する、支持枠の屋外端に設けた立ち上り部片の上端に上面開口の係合溝を設け、該係合溝に係合した屋根板の前記先端の折曲げ片の表面（前面）と前記係合溝の内面との間にシール材（湿式）を充填した構造のものがある。
【０００３】
【発明が解決しようとする課題】
前記従来例は、アルミ押出し形材で成る支持枠とカラー鋼板や塗装鋼板で成る屋根板との接続の便宜上考え出されたものであるが、シール材は常に露出しているため、日光、風雨に曝され、耐候性素材で構成するとはいえ、やはり経時的にはシール材の劣化がすすみ、シール機能が低減し、シール材の再打設は避けられない。
【０００４】
本発明は、斯様な従来構造の防水装置の欠点に着目して、必要に応じて既設の当該防水装置の利用もできる防水性能の低減を可及的に回避できる装置を提供すべく創案したものである。
【０００５】
【課題を解決するための手段】
屋根板の下端側先端と前記屋根板の支持枠に設けた立ち上り部片の上端を接続して該接続部にシール材を施した屋根先端部を套装枠で套装するものであって、套装枠は屋根板の先端部を套装する傾斜部片の下端側先端に前記立ち上り部片の上端部を套装する垂直部片を連設して構成し、該套装枠の前記垂直部片の背面に突設した接続部片を前記立ち上り部片に一片をねじ止めしたＬ形の取付片の他の一片上に重合してねじ止めし、前記傾斜部片と屋根板との間における、前記接続部の前記屋根板の後端側の後方には、弾性バックアップ材を配して一次シール材を充填した構成とする。また、他の手段としては屋根板の下端側先端を支持する、支持枠に設けた立ち上り部片の上端に、上面開口の係合溝を設け、該係合溝に係合した屋根板の前記先端の折曲げ片の前面と前記係合溝の内面との間に二次シール材を充填すると共に、前記立ち上り部片に一片をねじ止めしたＬ形の取付片の他の一片上に、前記屋根板の先端部を套装する傾斜部片の下端側先端に前記立ち上り部片の上端部を套装する垂直部片を連設して構成した套装枠の前記垂直部片の背面に突設した接続部片を重合してねじ止めし、前記傾斜部片と屋根板との間における、前記係合溝より前記屋根板の後端側の後方には、弾性バックアップ材を配して一次シール材を充填した構成とし、前記手段と同様シール機能の低下を可及的に防げ、従って、支持枠側の係合溝に折曲げ片を係合して屋根板と支持枠を接続するという単純な構造の屋根先端部装置の防水にも適用でき、いずれにしても、一次シール側が劣化して支障を来たしても、二次シール側は套装枠で套装されているから、雨、日光に曝されることのない全体として耐候性のある装置を提供できる。
【０００６】
【発明の実施の形態】
図面は本発明に係る出窓屋根や庇等の、屋根板を用いた小屋根における屋根先端部の防水装置の一実施形態を示し、図１は断面図、図２は略示分解斜視図、図３は套装枠の斜視図である。
【０００７】
図面で示す実施形態のものは、出窓の屋根先端部に本発明を適用しているが庇にも適用でき、要は屋根板を用いた小屋根であれば良い。
【０００８】
また、実施形態の出窓は、上枠、下枠、左右の縦枠、袖上枠、袖下枠、窓上枠、窓下枠および左右の方立から成る枠組体に屋根板と天井板を組付け、さらに、袖パネルおよび内外の引違い障子を組込んで構成したもので、図示符号中、１は屋根板、２は窓上枠、３は袖上枠、４は右縦枠、５は右方立、６は袖パネル、７は内障子、７´は外障子、８は天井板をそれぞれ示し、残余のものは図示省略してある。
【０００９】
なおまた、実施形態のものは、窓上枠２と袖上枠３を屋根板１の支持枠として本発明を適用してあるが、符号を同一にして示す通り、袖上枠３部側は窓上枠２部側と同様であるので説明は省略する。因みに、実施形態の小屋根は、いわば寄棟屋根風形状であるため袖上枠３部側にも本発明を適用することになるが、当該屋根が所謂片流れ屋根風であれば当該袖上枠３部側は省略され窓上枠２部側にのみ本発明が適用されることになり、請求項でいう「支持枠」は、実施形態の窓上枠２や袖上枠３を意味する。
【００１０】
窓上枠２は前記内外障子７，７´を組込んだ主体枠部２Ａと該主体枠部２Ａと共に前記天井板８を支持する支持枠部２Ｂとで成り、この窓上枠２の先端には支持枠部２Ｂで構成する立ち上り部片９を設け、該立ち上り部片９の上端に上面開口の係合溝１０を設けてある。窓上枠２を構成する主体枠部２Ａと支持枠部２Ｂは、互いに別体のアルミ押出し形材で構成してあるが、単一な押出し形材で構成しても差し支えない（この場合は、図示のものと形態の異なる押出し形材となる）。
【００１１】
前記係合溝１０は、底構成部片１０ａと内外の構成部片１０ｂ，１０ｃで構成して（立ち上り部片９の延長上に外側構成部片１０ｃを配して）立ち上り部片９の後面（屋内側面）側に設けてあるが、立ち上り部片９の前面側に配すると、該立ち上り部片９の屋外側にその構成片が部分的に突出することになり雨仕舞が複雑となるから、左様な構成は避けるべきである。
【００１２】
この係合溝１０に前記屋根板１の先端に該先端を折曲して設けた折曲げ片１１を係合し、該折曲げ片１１の前面（屋外側面）と前記係合溝１０の内面（内壁）との間、すなわち折曲げ片１１と外側構成部片１０ｃとの間に二次シール材１２を充填して係合溝１０を埋めてある。
【００１３】
折曲げ片１１は、係合溝１０を構成する前記屋内外の構成部片１０ｂ，１０ｃ中の内側構成部片１０ｂの内面に当接重合させて配するべきで、両者１１，１０ｂ間に隙間があると、結露等の支障が生じ勝ちとなり、また、当接重合して折曲げ片１１と外側構成部片１０ｃとの間に前記の通り二次シール材１２を充填することにより折曲げ片１１すなわち屋根板１の先端は立ち上り部片９（窓上枠２）に接続される（二次シール材１２が折曲げ片１１と内外側構成部片１１ｃ乃至底構成部片１０ａの接続材となる）。
【００１４】
折曲げ片１１と立ち上り部片９の接続は、別途接続手段を用いても良く、前記接続は必ずしも固定的であることを要しない。
【００１５】
図中、１３は立ち上り部片９（支持枠部２Ｂ）と屋根板１の下端部（折曲げ片１１部）との接続部ｐを套装する套装枠で、套装枠１３は屋根板１の下端部を套装する傾斜部片１３ａの下端側先端に前記立ち上り部片９の上端部側を套装する垂直部片１３ｂを連設し、垂直部片１３ｂの背面側（傾斜部片１３ａの直下）に接続部片１３ｃを水平に突設して構成する。そして、この套装枠１３は、縦部片１４ｂを立ち上り部片９にねじ１５で止着したＬ形の取付片１４の横部片１４ａ上に前記接続部片１３ｃを重ね合わせてタッピングねじ１６で締め付けて、前記立ち上り部片９に固着し、前記の通り、立ち上り部片９の上端側を垂直部片１３ｂで屋根板１の先端（下端）側を傾斜部片１３ａでそれぞれ套装したものである。この套装枠１３の傾斜部片１３ａは弾性バックアップ材１７を介して屋根板１に重ね合わせ、傾斜部片１３ａと屋根板１および弾性バックアップ材１７で構成され、前記係合溝１０乃至接続部ｐより前記屋根板１の先端に対応する後端側に位置する空隙１８に二次シール材１２と同様の湿式の一次シール材１９を充填して前記接続部ｐのシール効果を期待したものである。
【００１６】
なお、実施形態では、取付片１４は窓上枠２（立ち上り部片９）の見付け幅より短いものを用い、窓上枠２（支持部２ａ）の見付け方向に前記手段を用いて並設して、これら取付片１４，１４により套装枠１３を窓上枠２（支持枠部２Ｂ）に取付けたもので、この結果、取付片１４間に隙間ａが生じ、該隙間ａは一次シール部１９（経時変化等により劣化して）を通じて流下してきた雨水の排出口を構成する。
【００１７】
袖上枠３側の、この排出口は、袖上枠３の長さ（袖上枠３の出窓見込み方向の長さ）より短い取付片１４を該袖上枠３の中間部に配することにより、該袖上枠３の両端の符号ａで示す部分に形成される。
【００１８】
しかして、窓上枠２の立ち上り部片９に設けた係合溝１０に屋根板１側の先端の折曲げ片１１を係合して係合溝１０に二次シール材１２を打設後、取付片１４を用いて套装枠１３を窓上枠２の立ち上り部片９に固着し、一次シール材１９を套装枠１３の傾斜部片１３ａと屋根板１との上位面側開口の空隙１８に打設することにより実施形態装置を得られる。
【００１９】
また、前記のように、窓上枠２の立ち上り部片９に設けた係合溝１０に屋根板１側の先端の折曲げ片１１を係合して係合溝１０に二次シール材１２を打設した状態のままの、既設の小屋根先端部装置において（この場合は符号１２で示すものは単に「シール材」が指称上適当と思われるが）、当該シール材１２が日光、雨風に曝され劣化したとき、該シール材１２を打設し直すと共に、その後、取付片１４を前記のようにねじ１５で窓上枠２（立ち上り部片９）に止着し、該取付片１４に前記のようにして套装枠１３をタッピングねじ１６で止着して組付け、空隙１８に一次シール材１９を打設して本装置を得ても良い。
【００２０】
バックアップ材１７は、套装枠１３の傾斜部片１３ａに固定手段（実施形態は接着）により予め固着しておくと、ねじ１６の締付け操作時に、当該バックアップ材１７ａ位置を設計通りに確実に配置でき、かつ、締付け操作の進行と同時にバックアップ材１７が屋根板１に圧接し、一次シール材１９の受材となる一方、それ自体シール機能を補強することになる。
【００２１】
なお、立ち上り部片９に縦部片１４ｂをねじ１５で止着したＬ形の取付片１４の横部片１４ａ上に屋根板１の先端部を套装する傾斜部片１３ａの下端側先端に前記立ち上り部片９の上端部を套装する垂直部片１３ｂを連設して構成した套装枠１３の前記垂直部片１３ｂの背面に突設した接続部片１３ｃを重合してタッピングねじ１６で止着し、しかも、前記傾斜部片１３ａと屋根板１との間には弾性バックアップ材１７を施してシール材１９を充填した構造のものは、既設の屋根板の下端側先端と該屋根板の支持枠に設けた立ち上り部片の上端を接続して該接続部にシール材を施した既設の屋根先端部に適用でき、この場合、この既設の屋根先端部の前記接続部の、前記屋根板の後端側の後方にシール材１９をバックアップ材１７と共に配することになる。すなわち、実施形態で示す二次シール部、接続部ｐは他の構造のものでも不都合はない。
【００２２】
【発明の効果】
本発明は、前記の通りの構成であるから、雨水の侵入に対し、いわば、二重に対処することができるから、例えば、屋根板の先端の折曲げ片を支持枠側の係合溝に係合してシール材を係合溝に充填するだけの、単純な屋根板と支持枠の接続装置に利用でき、当該接続装置を堅牢に保持できる。
【００２３】
また、既設小屋根の屋根先端部を、套装枠を後施行して（取付片を用いて）取付けることによりシール機能の優れた屋根先端部の防水装置を得られる。
【図面の簡単な説明】
【図１】断面図。
【図２】略示分解斜視図。
【図３】套装枠の斜視図。
【符号の説明】
１        屋根板
９        立ち上り部片
１０      係合溝
１１      折曲げ片
１２      二次シール材
１３      套装枠
１４      取付片
１７      バックアップ材
１９      一次シール材
【図１】
0004080240.tif 000002
【図２】
0004080240.tif 000003
【図３】
0004080240.tif 000004